(57)【要約】      （修正有）【課題】簡易な構造であって、身体に装着して使用しても壊れ難い身体装着腰かけを提供する。【解決手段】上面を座部とする基台と、基台を貫通する孔と、孔を通したベルトと、からなる。孔は、基台の一の側面側から他の側面側に貫通させる。基台の底面には凹部を形成することが好ましい。凹部は、基台の前後方向に対して略直行する方向に亘って形成されていることが好ましい。座部は、曲面状に凹ませた形状とすることが好ましい。【選択図】図１
0003159985.tif 000002
【実用新案登録請求の範囲】
【請求項１】
上面を座部とする基台と、該基台を貫通する孔と、該孔に通したベルトと、からなる身体装着腰かけ。
【請求項２】
前記孔は、前記基台の一の側面側から他の側面側に貫通している請求項１に記載の身体装着腰かけ。
【請求項３】
前記基台の底面に凹部を形成した請求項１乃至請求項２に記載の身体装着腰かけ。
【請求項４】
前記凹部は、前記基台の前後方向に対して略直行する方向に亘って形成されている請求項３に記載の身体装着腰かけ。
【請求項５】
前記座部を、曲面状の凹みとした請求項１乃至請求項４に記載の身体装着腰かけ。
【請求項６】
前記座部は、正面側が低くなるように傾斜していることを特徴とする請求項１乃至請求項５に記載の身体装着腰かけ。
【請求項７】
前記基台の側面に、収納部を形成したことを特徴とする請求項１乃至請求項６に記載の身体装着腰かけ。
【考案の詳細な説明】
【技術分野】
【０００１】
本考案は、しゃがんで作業等をする場合に利用できる腰かけに関するものである。
【背景技術】
【０００２】
特開平１０−１５５５９４には、適宜の高さを有する腰掛け部と、腰掛け部を身体へ装着可能とする装着部を備えた身体装着腰掛けが開示されている。
【０００３】
農作業においては、草取り等のしゃがんで行う作業と移動を繰り返す。このため、腰かけの部分と、身体へ装着するための例えばベルトとの固定部分が、適度な強度を備えている必要がある。
【先行技術文献】
【特許文献】
【０００４】
【特許文献１】特開平１０−１５５５９４号公報
【考案の概要】
【考案が解決しようとする課題】
【０００５】
解決しようとする課題は、簡易な構造であって、身体に装着して使用しても壊れ難い身体装着腰かけを提供することである。
【課題を解決するための手段】
【０００６】
本考案は、腰かけの強度を確保するため、腰かけるための基台を用意し、この基台の側面に貫通した孔を形成し、その孔に、身体に装着するベルトを通したことを最も主要な特徴とする。
【考案の効果】
【０００７】
本考案の身体装着腰かけは、座面を有する基台に形成した孔に身体装着用のベルトを通す構造にして、作業者の臀部とベルトとの間で基台をその全幅に亘って保持するようにしたため、壊れ難いという利点がある。
【図面の簡単な説明】
【０００８】
【図１】本発明にかかる身体装着腰かけの全体構成を示す斜視図である（実施例１）
【図２】実施例１に係る基台１の側面図である
【図３】図２のＡ−Ａ断面図である
【図４】本発明にかかる身体装着腰かけを装着した状態を説明する図である
【図５】本発明にかかる身体装着腰かけの使用状態を説明する図である
【図６】本発明の他の実施例を示す斜視図である（実施例２）
【図７】図６のＢ−Ｂ断面図である
【図８】図６に示す基台１の側面図である
【図９】図８のＣ−Ｃ断面図である
【図１０】本発明の他の実施例を示す斜視図である（実施例３）
【考案を実施するための形態】
【０００９】
身体に装着可能な腰かけの強度を向上するという目的を、簡易な構造によって実現した。
【実施例１】
【００１０】
図１は、本発明の実施例１にかかる身体装着腰かけ１０の全体構成を示す斜視図である。基台１は、発泡スチロールを直方体状に加工したものである。基台１の材料は、重量が軽く、使用者が移動する際に過度の負担とならないものを用いることが好ましい。特に発泡スチロールは、重量が軽い上、保温性が高いため、使用者の腰の冷えを抑制することができる点でも好ましい。基台１の上面は使用者が腰を降ろす座部２である。実施例１においては、基台１の上面を曲面状の凹み形状とした座部２を設けている。このような座部２によって、基台１を作業者の臀部にフィットさせることができる。基台１の側面には後述する孔５が形成されている。孔５には身体に装着するためのベルト３が通されている。ベルト３の両端には、基台１を身体に装着した際にベルトの端同士を固定する止め具４を備えている。基台１の表面全体あるいは地面への接地面側には、その強度を向上させるため、例えばウレタン樹脂などのコーティングを施してもよい。
【００１１】
図２は、基台１の側面図である。基台１の中央部分に孔５が形成されている。基台１の底面に凹みを形成することにより凹部６が設けられている。凹部６は、腰かけ１０を使用した場合の使用者の前後方向に対して略直交する方向であって基台１の底面の全幅に亘って形成されている。このような凹部６を設けることによって、土のやわらかい不安定な畑においても安定する。また、草取り作業などにおいて横方向への移動がし易い。
【００１２】
図３は、基台１のＡ−Ａ断面図である。図３のとおり、孔５は、基台１の一方の側面から他方の側面に貫通している。即ち、腰かけ１０を使用した場合の前後方向に対して略直行する方向に貫通している。孔５にはベルト３が通されている。ベルト３の端部には止め具４が設けられている。なお、上述したとおり、凹部６もまた、基台１の一方の側面から他方の側面に亘って形成されていることがわかる。
【００１３】
図４は、本発明に係る身体装着腰かけを作業者が装着した状態を示している。基台１の座部２を作業者の臀部にあてがい、ベルト３を腰の周囲に回して、ベルトの端部同士を止め具４で固定することによって、身体に装着する。止め具４は、バックルや面ファスナ等を用いることができる。止め具４による止め位置（ベルトの長さ）は、作業者に合わせて適宜調整できるようにする。ベルト３は一本のみで足り、ベルト３と作業者の臀部との間で基台１がその全幅に亘って保持される。このため、ベルト３と基台１を固定する必要が無く、基台１がベルト３との固定部において破損し易いという従来の問題点を解決することができる。また、ベルト３は孔５を通しただけの構造であるため、例えば基台１が破損した場合には、基台１のみを容易に交換することができるという利点がある。
【００１４】
図５は、本発明の腰かけを利用して作業をしている様子を示している。作業者は腰を上げるに際しても、しゃがむに際しても、腰かけは臀部に装着されているため、身体の移動に合わせていちいち腰かけの位置をずらす必要がない。
【実施例２】
【００１５】
図６は、本発明に係る腰かけの実施例２の構造を示す斜視図である。実施例１と同様に説明される構成については、同一の符号を付し、説明を省略する。なお、ベルト３の図示は省略している。実施例２における、実施例１との相違点は、座部２’を傾斜させたこと、および、基台１の側面に収納部１０ａを設けたことである。
【００１６】
図７は、座部２’の構成を説明するための、図６のＢ−Ｂ断面図である。なお、図７において、左側が基台１の正面側であり、右側が基台１の背面側となる。即ち、使用者は、基台１の正面側に立った状態から基台１に腰を降ろす。図７に示すとおり、実施例２は、基台１の正面側が低く、背面側が高くなるように、座部２’が傾斜した構造である。かかる構造によって、作業者は基台１に座ったときに、やや前傾姿勢を取ることになる。このため、作業者は無理なく前傾姿勢が取れるので作業がし易くなり、また、立ち上がり易い。更に、作業者の後方への荷重がかかり難いため、後方へ転倒するという事故も抑制することができる。
【００１７】
図８は、図６に示す実施例２の腰かけにかかる基台１の側面図である。基台１の側面には孔状の収納部１０ａ、１０ｂが形成されている。収納部１０ａ、１０ｂには、飲料水の缶、タバコ、ライター、作業に用いる道具等を収納することができる。また、収納部１０ａ、１０ｂの両側には、収納した缶等を取り出し易いように、使用者の指が入る側孔部１１ａ、１１ｂが形成されている。
【００１８】
図９は、図８におけるＣ−Ｃ断面図である。収納部１０ｂには飲料水のボトル缶１５が収納された様子を示している。収納部は、基台１の両側面をくりぬいて孔をあけた構造であり、１０ａ、１０ｂのとおり一対の収納部を形成している。収納部１０ａ、１０ｂは、それぞれ、入り口が高く、収納部の奥が低くなるように傾斜しており、収納部１０ａ、１０ｂに収納した物が、落ち難い構造になっている。
【実施例３】
【００１９】
図１０は、本発明に係る腰かけの実施例３の構造を示す斜視図である。実施例１および実施例２と同様に説明される構成については、同一の符号を付し、説明を省略する。なお、ベルト３の図示は省略している。図７において、左側が基台１の正面側であり、右側が基台１の背面側となる。実施例３において特徴的な構造は、基台１の背面側に張り出し部１６を形成したことである。張り出し部１６は、基台１の底面が、基台１の上面よりも後方に張り出した部分を指す。張り出し部１６を設けることによって、基台１の地面への配置が安定する。使用者は、腰かけた際に張り出し部１６が後方側になるように腰かける。この構造により、例えば使用者が背伸びをする等、基台１の後方に荷重が加わっても、基台１が後方側に回転して転倒するといった問題を解消することができる。
【産業上の利用可能性】
【００２０】
本発明は、基台１に形成した孔５にベルト３を通して身体に装着することができる腰かけに関するものであり、農作業等の、しゃがんで行う作業であって且つ移動が伴う作業において使用する作業用の腰かけとして好適であり、また、運動場、イベント会場、釣り等のレジャーで使用する腰かけとしても好適である。
【符号の説明】
【００２１】
１    基台
２，２’    座部
３    ベルト
４    止め具
５    孔
６    凹部
１０ａ，１０ｂ    収納部
１１ａ，１１ｂ    側孔部
１５    飲料物容器
１６    張り出し部
【図１】
0003159985.tif 000003
【図２】
0003159985.tif 000004
【図３】
0003159985.tif 000005
【図４】
0003159985.tif 000006
【図５】
0003159985.tif 000007
【図６】
0003159985.tif 000008
【図７】
0003159985.tif 000009
【図８】
0003159985.tif 000010
【図９】
0003159985.tif 000011
【図１０】
0003159985.tif 000012
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
上面を座部とする基台と、該基台を貫通する孔と、該孔に通したベルトと、からなる身体装着腰かけ。
【請求項２】
前記孔は、前記基台の一の側面側から他の側面側に貫通している請求項１に記載の身体装着腰かけ。
【請求項３】
前記基台の底面に凹部を形成した請求項１〜２のいずれか一項に記載の身体装着腰かけ。
【請求項４】
前記凹部は、前記基台の前後方向に対して略直行する方向に亘って形成されている請求項３に記載の身体装着腰かけ。
【請求項５】
前記座部を、曲面状の凹みとした請求項１〜４のいずれか一項に記載の身体装着腰かけ。
【請求項６】
前記座部は、正面側が低くなるように傾斜していることを特徴とする請求項１〜５のいずれか一項に記載の身体装着腰かけ。
【請求項７】
前記基台の側面に、収納部を形成したことを特徴とする請求項１〜６のいずれか一項に記載の身体装着腰かけ。